(57)【要約】【課題】遊技者が遊技場からタクシーを呼び出すときに、タクシー会社に電話をかけて所要事項を通知することを不要にする。【解決手段】遊技者が台間機１３の配車要求キーを押下し、迎車時刻を入力する。会員カード１５からカード識別情報が読み取られ、カード識別情報及び迎車時刻を含む配車要求が管理サーバ１１に通知される。管理サーバ１１は、カード識別情報から遊技者を特定し、特定した遊技者情報及び迎車時刻を含む配車要求をタクシー会社２０の配車サーバ２１に送信する。配車サーバ２１は、タクシー３０の車載装置３１に配車指示を送信し、管理サーバ１１に対して配車応答を送信する。タクシー３０の運転手は、配車指示に基づいて遊技場１０へ向かい、到着したら到着処理装置１４に対して所定の到着情報（例えば遊技者情報）を入力する。タクシー３０の到着は到着処理装置１４から管理サーバ１１を介して台間機１３に通知され、表示される。【選択図】図１
2019017744.tif 000002
【特許請求の範囲】
【請求項１】
遊技機に併設され、入力部及び表示部を有する台間機と、管理サーバと、を有するタクシー配車要求システムであって、
前記台間機は、前記入力部に対する遊技者によるタクシーの配車要求の入力に応じて、配車要求、自身の台間機番号、及び前記遊技者の遊技カードに記録されたカード識別情報を前記管理サーバに通知する手段を備え、
前記管理サーバは、前記台間機から通知された配車要求に基づいて、タクシー会社に対して配車要求を通知する配車要求手段を備える、
タクシー配車要求システム。
【請求項２】
請求項１に記載されたタクシー配車要求システムにおいて、
前記配車要求手段は、前記配車要求の通知に伴い、前記台間機番号、及び前記カード識別情報を通知する、タクシー配車要求システム。
【請求項３】
請求項１又は２に記載されたタクシー配車要求システムにおいて、
前記管理サーバは、前記台間機から通知された配車要求を特定可能な配車要求番号を生成する手段を備え、
前記配車要求手段は、前記配車要求の通知に伴い、前記配車要求番号を通知する、
タクシー配車要求システム。
【請求項４】
請求項２又は３に記載されたタクシー配車要求システムにおいて、
前記遊技カードは会員カードであり、
前記管理サーバは、会員カードの会員カード情報として、カード識別情報と、少なくとも会員氏名を含む会員情報と、を保持する会員情報保持手段と、前記台間機から通知されたカード識別情報が前記会員カード情報に含まれるカード識別情報の中に存在するか否かを判定する判定手段と、を備え、
前記配車要求手段は、前記判定手段により存在すると判定された場合に前記配車要求を通知する、
タクシー配車要求システム。
【請求項５】
請求項２乃至４のいずれかに記載されたタクシー配車要求システムにおいて、
前記管理サーバに配車要求を通知した台間機は、遊技機から大当たり信号を受信したとき、タクシーを待機させるか又は配車要求をキャンセルするかを遊技者に選択させるための表示を前記表示部に表示し、キャンセルする選択が前記入力部から入力された場合に、配車要求のキャンセルを前記管理サーバに通知し、
前記管理サーバは、配車要求のキャンセルを前記タクシー会社に通知する、
タクシー配車要求システム。
【請求項６】
請求項２乃至４のいずれかに記載されたタクシー配車要求システムにおいて、
前記入力部は、タクシーの迎車時間を入力する時間指定機能を備え、
前記通知する手段は、当該迎車時間を通知し、
前記配車要求手段は、前記配車要求の通知に伴い、当該迎車時間を通知する、
タクシー配車要求システム。
【請求項７】
請求項２を引用する請求項３に記載されたタクシー配車要求システムにおいて、
前記カード識別情報、前記台間機番号、前記配車要求番号の少なくとも１つの入力を到着情報として受け付ける受付手段、当該受付手段で受け付けた到着情報を前記管理サーバへ送信する送信手段と、を備えるタクシー到着処理装置を有し、
前記管理サーバは、受信した到着情報に基づいて台間機を特定し、当該台間機に対してタクシーの到着を通知し、
当該タクシーの到着を通知された台間機は、タクシーの到着を表示部に表示する、
タクシー配車要求システム。
【発明の詳細な説明】
【技術分野】
【０００１】
本発明は、パチンコホールなどの遊技場からタクシーの配車を要求するタクシー配車要求システムに関する。
【背景技術】
【０００２】
従来、遊技者が遊技場からタクシーを呼び出すには、遊技場に設置されている専用の固定電話機又は自身の携帯電話機を使用して、タクシー会社に電話をかけ、場所、迎車時間、氏名等の所要事項を通知して、配車を受けるようにする方法が一般的である（特許文献１）。
【先行技術文献】
【特許文献】
【０００３】
【特許文献１】特開２００２−２０３０１５号公報（段落０００２）
【発明の概要】
【発明が解決しようとする課題】
【０００４】
しかしながら、上記従来の一般的な方法では、遊技者がタクシー会社に電話をかけて、所要事項を通知する必要がある。また、迎車時間を指定し、その後、遊技で大当たりが出た場合、タクシーの運転手はその状況が分らず、待ち状態となるため、呼び出しなどにより、遊技者の氏名がオープンになるという問題がある。
【０００５】
本発明は、このような問題を解決するためになされたものであり、その目的は、遊技者が遊技場からタクシーを呼び出すときに、タクシー会社に電話をかけて所要事項を通知することを不要にすることである。
【課題を解決するための手段】
【０００６】
本発明は、遊技機に併設され、入力部及び表示部を有する台間機と、管理サーバと、を有するタクシー配車要求システムであって、前記台間機は、前記入力部に対する遊技者によるタクシーの配車要求の入力に応じて、配車要求、自身の台間機番号、及び前記遊技者の遊技カードに記録されたカード識別情報を前記管理サーバに通知する手段を備え、前記管理サーバは、前記台間機から通知された配車要求に基づいて、タクシー会社に対して配車要求を通知する配車要求手段を備える、タクシー配車要求システムである。
【発明の効果】
【０００７】
本発明によれば、遊技者が遊技場からタクシーを呼び出すときに、タクシー会社に電話をかけて所要事項を通知することが不要になる。
【図面の簡単な説明】
【０００８】
【図１】本発明の実施形態に係るタクシー配車要求システムの概略構成及び概略動作を示す図である。
【図２】図１における管理サーバのハードウェア構成を示すブロック図である。
【図３】図１における台間機のハードウェア構成を示すブロック図である。
【図４】図１における到着処理装置のハードウェア構成を示すブロック図である。
【図５】図１における配車サーバのハードウェア構成を示すブロック図である。
【図６】図１における車載装置のハードウェア構成を示すブロック図である。
【図７】本発明の実施形態に係るタクシー配車要求システムの動作の一例を示すシーケンス図である。
【発明を実施するための形態】
【０００９】
以下、本発明の実施形態について図面を参照して詳細に説明する。
〈タクシー配車要求システムの概略構成〉
図１は、本発明の実施形態に係るタクシー配車要求システムの概略構成及び概略動作を示す図である。
【００１０】
本発明の実施形態に係るタクシー配車要求システムは、遊技場１０に設けられた管理サーバ１１、管理サーバ１１に接続された遊技機１２、台間機１３、及び到着処理装置１４により構成されている。なお、実際の遊技場には、台コンピュータ、島コンピュータなどが設けられているが、それらは周知であり、かつ本発明とは直接関係ないため省略した。
【００１１】
遊技機１２はパチンコ機又はパチスロ機である。遊技機１２は大当たりが発生したとき、大当たり信号を直接若しくは台コンピュータを介して台間機１３へ送出する。
【００１２】
台間機１３は、現金や会員カード１５の挿入に応じて遊技球の貸し出しを行う玉貸機であり、例えば、各遊技機の隣に遊技機毎に１台ずつ併設される。また、台間機１３は、紙幣挿入口と、会員カード挿入口と、ランプ等を備えている。これらは周知の構成である。さらに、本実施形態では、台間機１３は、タクシーの配車要求を行うためのハードウェアキー又はタッチパネル上のソフトウェアキーからなる配車要求キーを備えている。
【００１３】
到着処理装置１４は、遊技場１０の受付などに配置されたタブレット端末などのコンピュータである。会員登録された遊技者の遊技カードである会員カード１５にはカード識別情報が記録されており、遊技者が遊技機１２を利用するために台間機１３の会員カード挿入口に会員カード１５を挿入すると、会員カード挿入口の内部に設けられたカードリーダが、その会員カード１５のカード識別情報を読み取るように構成されている。
【００１４】
管理サーバ１１は、会員情報の管理及びタクシーの配車要求に関する処理を行うサーバである。そして、会員情報を管理するために、会員カード１５のカード識別情報と会員の住所、氏名、ニックネーム、連絡先（メールアドレス、電話番号）とを紐付けた会員情報テーブルを作成し、記憶している。また、タクシーの配車要求に関する処理を行うため、台間機１３の台間機番号と、配車要求時刻、配車要求番号、迎車時刻などとを紐付けた配車要求管理テーブルを作成し、記憶するとともに、台間機１３、到着処理装置１４、及びタクシー会社２０の配車サーバ２１との間で所要の通信を行う。会員情報の管理を行うサーバと、タクシーの配車要求に関する処理を行うサーバとを別装置としてもよい。
【００１５】
次に概略動作を説明する。遊技者が台間機１３の配車要求キーを押下し、迎車時刻を入力すると、会員カード１５からカード識別情報が読み取られる。そして、カード識別情報及び迎車時刻を含む配車要求が管理サーバ１１に通知される。
【００１６】
管理サーバ１１は、配車要求を通知されると、会員管理テーブルを参照して、カード識別情報に対応する遊技者を特定し、特定した遊技者情報、迎車時刻、台間機番号を含む配車要求をタクシー会社２０の配車サーバ２１に送信する。
【００１７】
配車サーバ２１は、管理サーバ１１からの配車要求に応じて、タクシー３０の車載装置３１に配車指示を送信し、配車要求の要求元である管理サーバ１１に対して配車応答を送信する。なお、管理サーバ１１との間の通信を行うサーバと、配車指示の作成及び車載装置３１への通知を行うサーバとを別装置として設けてもよい。
【００１８】
タクシー３０の運転手は、配車指示に基づいて、指示された行先である遊技場１０へ向かい、到着したら到着処理装置１４に対して所定の到着情報（ここでは台間機番号、遊技者情報）を入力する。
【００１９】
到着処理装置１４は、入力された到着情報を管理サーバ１１に通知する。管理サーバ１１は、通知された到着情報に基づいて、台間機１３を特定し、到着したことを通知する。台間機１３は到着したことを表示する。
【００２０】
次に管理サーバ１１、台間機１３、到着処理装置１４、配車サーバ２１、及び車載装置３１のハードウェア構成について順番に説明する。
【００２１】
〈管理サーバのハードウェア構成〉
図２は、管理サーバ１１のハードウェア構成を示すブロック図である。
管理サーバ１１は、制御部１１１、入力部１１２、記憶部１１３、表示部１１４、及び通信部１１５を備えている。
【００２２】
制御部１１１は、ＣＰＵと、基本Ｉ／Ｏプログラムや各種データを記憶するためのＲＯＭと、一時的にデータを記憶するためのＲＡＭ等からなり、管理サーバ１１全体を制御する。ＣＰＵは、ＲＯＭや記憶部１１３に格納されているアプリケーションプログラムやオペレーティングシステム（ＯＳ）等を実行する処理や、プログラムの実行に必要なデータやファイル等をＲＡＭや記憶部１１３に記憶する処理などを行う。
【００２３】
入力部１１２は、管理サーバ１１に対するコマンド等を入力するための手段であり、キーボード、ポインティングデバイス（マウス等）、タッチパネル等によって構成される。
【００２４】
記憶部１１３は、アプリケーションプログラム、ＯＳ、制御プログラム、関連プログラム、各種情報を記憶するものであり、例えばＨＤＤ（ハードディスク装置）によって構成される。ここでは、各種情報として、会員情報管理テーブル１１３ａ及び配車要求管理テーブル１１３ｂを図示した。会員情報管理テーブル１１３ａは、前述したように、カード識別情報と会員の住所、氏名、ニックネーム、連絡先（メールアドレス、電話番号）とを紐付けたテーブルである。また、配車要求管理テーブル１１３ｂは、前述したように、台間機１３の台間機番号と、配車要求時刻、配車要求番号、迎車時刻などとを紐付けたテーブルである。
【００２５】
表示部１１４は、入力部１１２から入力されたコマンドや、当該コマンドに対する管理サーバ１１の応答出力等を表示するものであり、例えば、液晶表示装置によって構成される。
【００２６】
通信部１１５は、遊技場１０内の遊技機１２、台間機１３、及び到着処理装置１４との間の通信、並びにネットワークＮＷを介する配車サーバ２１との間の通信を行うものであり、ＬＡＮボード、モデム、ルータ等により構成される。
【００２７】
〈台間機のハードウェア構成〉
図３は、台間機１３のハードウェア構成を示すブロック図である。
台間機１３は、制御部１３１、入力部１３２、記憶部１３３、表示部１３４、及び通信部１３５を備えている。
【００２８】
制御部１３１は、ＣＰＵと、基本Ｉ／Ｏプログラムや各種データを記憶するためのＲＯＭと、一時的にデータを記憶するためのＲＡＭ等からなり、台間機１３全体を制御する。
【００２９】
入力部１３２は、紙幣挿入口や会員カード挿入口に配置された挿入検出センサ、テンキー、キーボード、タッチパネルであって、遊技者等のユーザによる入力操作を受け付ける手段である。ここでは、タクシーの配車要求を行うためのハードウェアキー又はタッチパネル上のソフトウェアキーからなる配車要求入力手段１３２ａ、及び迎車時刻を入力するための迎車時刻入力手段１３２ｂを図示した。
【００３０】
記憶部１３３は、アプリケーションプログラム、ＯＳ、制御プログラム、関連プログラムなどを記憶するものであり、例えばＨＤＤなどにより構成される。
【００３１】
表示部１３４は、入力部１３２から入力された各種コマンドやそれに対する応答出力などを表示する手段であり、液晶ディスプレイやランプなどにより構成される。ここでは、タクシーの待ち時間を表示する待ち時間表示手段１３４ａ、タクシーの到着を表示する到着表示手段１３４ｂ、及び遊技機１２から送信される大当たり信号に基づき大当たりを表示する大当たり表示手段１３４ｃを図示した。
【００３２】
通信部１３５は、遊技機１２との間の通信、及び管理サーバ１１との間の通信を行う手段であり、例えばＬＡＮボードにより構成される。
【００３３】
〈到着処理装置のハードウェア構成〉
図４は、到着処理装置１４のハードウェア構成を示すブロック図である。
到着処理装置１４は、制御部１４１、入力部１４２、記憶部１４３、表示部１４４、及び通信部１４５を備えている。
【００３４】
制御部１４１は、ＣＰＵと、基本Ｉ／Ｏプログラムや各種データを記憶するためのＲＯＭと、一時的にデータを記憶するためのＲＡＭ等からなり、到着処理装置１４全体を制御する。
【００３５】
入力部１４２は、例えば液晶ディスプレイ上のタッチパネルであって、遊技場１０に到着したタクシー３０の運転手などからの到着情報を入力するための手段である。
【００３６】
記憶部１４３は、アプリケーションプログラム、ＯＳ、制御プログラム、関連プログラムなどを記憶するものであり、例えばフラッシュメモリにより構成される。
【００３７】
表示部１４４は、入力部１４２から入力された各種情報に対する応答出力などを表示する手段であり、例えば液晶ディスプレイにより構成される。
【００３８】
通信部１４５は、管理サーバ１１との間の通信を行う手段であり、例えば無線ＬＡＮ回路により構成される。
【００３９】
〈配車サーバのハードウェア構成〉
図５は、配車サーバ２１のハードウェア構成を示すブロック図である。
配車サーバ２１は、制御部２１１、入力部２１２、記憶部２１３、表示部２１４、及び通信部２１５を備えている。
【００４０】
制御部２１１は、ＣＰＵと、基本Ｉ／Ｏプログラムや各種データを記憶するためのＲＯＭと、一時的にデータを記憶するためのＲＡＭ等からなり、配車サーバ２１全体を制御する。ＣＰＵは、ＲＯＭや記憶部２１３に格納されているアプリケーションプログラムやＯＳ等を実行する処理や、プログラムの実行に必要なデータやファイル等をＲＡＭや記憶部２１３に記憶する処理などを行う。
【００４１】
入力部２１２は、配車サーバ２１に対するコマンド等を入力するための手段であり、キーボード、ポインティングデバイス、タッチパネル等によって構成される。
【００４２】
記憶部２１３は、アプリケーションプログラム、ＯＳ、制御プログラム、関連プログラム、各種情報を記憶するものであり、例えばＨＤＤによって構成される。ここでは、タクシー会社２０が運用する各タクシーの状態（現在位置、待機中、送迎中等）を管理するための配車業務管理テーブル２１３ａを図示した。
【００４３】
表示部２１４は、入力部２１２から入力されたコマンドや、当該コマンドに対する配車サーバ２１の応答出力等を表示するものであり、例えば液晶表示装置によって構成される。
【００４４】
通信部２１５は、ネットワークＮＷを介する外部（ここでは遊技場１０内の管理サーバ１１）との間の通信、及び車載装置３１との間の通信を行うための手段であり、ネットワークインタフェースなどにより構成される。本実施形態では、管理サーバ１１から送信された配車要求を受信して制御部２１１に出力し、その配車要求に応じて制御部２１１により生成された配車指示を車載装置３１に送信する。
【００４５】
〈車載装置のハードウェア構成〉
図６は、車載装置３１のハードウェア構成を示すブロック図である。
車載装置３１は、制御部３１１、入力部３１２、記憶部３１３、表示部３１４、無線通信部３１５、及び車両位置検出部３１６を備えている。
【００４６】
制御部３１１は、車載装置３１全体を制御するものであり、ＣＰＵ、ＲＯＭ、ＲＡＭ、及びその他の周辺回路等を備えている。入力部３１２は、車載装置３１に設けられた各種キーを備え、キーに対する操作を検出し、制御部３１１に出力する。記憶部３１３は、ＨＤＤやフラッシュメモリ等の不揮発性の記憶装置からなり、各種データを書き換え可能に記憶する。表示部３１４は、液晶ディスプレイにより構成され、各種情報を表示する。
【００４７】
無線通信部３１５は、配車サーバ２１から無線送信された配車指示を受信し、制御部３１１に出力する。また、車両位置検出部３１６で検出された現在位置などの情報を配車サーバ２１に送信する。
【００４８】
車両位置検出部３１６は、ＧＰＳ衛星から送信されているＧＰＳ電波を受信し、ＧＰＳ電波に基づいて、車載装置３１が搭載されているタクシー３０の位置（位置、経度）、及びタクシー３０の進行方向の方位を算出し、制御部３１１に出力する。
【００４９】
〈タクシー配車要求システムの動作〉
図７は、本発明の実施形態に係るタクシー配車要求システムの動作の一例を示すシーケンス図である。この図を参照して、タクシー配車要求システムの動作の一例を説明する。
【００５０】
遊技者が台間機１３の入力部１３２に設けられた配車要求キーを押下すると（手順Ｓ１）、その押下が制御部１３１に通知される。制御部１３１は、遊技者に対して、迎車時刻の入力を指示するための画面データを生成し、表示部１３４に表示させる（手順Ｓ２）。
【００５１】
遊技者が、表示部１３４に表示された指示に応じて、入力部１３２のテンキーやタッチパネルから迎車時刻を入力する（手順Ｓ３）。迎車時刻は即時にすることもできる。
【００５２】
入力部１３２は、挿入された会員カード１５からカード識別情報を読み取って制御部１３１に送出するとともに、入力された迎車時刻を制御部１３１に送出する。なお、カード識別情報は、遊技機１２の使用時に読み取って保持しているものを用いてもよい。制御部１３１は、迎車時刻、カード識別情報、及び記憶部２１３などに保持されている台間機番号を含む配車要求を生成し、通信部１３５を介して管理サーバ１１に通知する（手順Ｓ４）。
【００５３】
管理サーバ１１では、配車要求が通信部１１５を介して制御部１１１に入力される。制御部１１１は、通知された配車要求に含まれているカード識別情報と同じカード識別情報が記憶部１１３内の会員情報管理テーブル１１３ａに存在するか否かを判定し、存在する場合には、そのカード識別情報に対応する会員である遊技者を特定する。そして、通知された配車要求に含まれている迎車時刻、台間機番号、特定した遊技者情報、及び遊技場１０の名称を含む配車要求を生成し、タクシー会社２０の配車サーバ２１に通知する（手順Ｓ５）。
【００５４】
この通知は、Ｅメール、音声合成により生成された音声通信（電話）により行う。なお、遊技場のメールアドレス、電話番号と遊技場１０の名称との対応関係が配車サーバ２１内の記憶部２１３に登録済みの場合は配車要求から遊技場１０の名称を省略することもできる。
【００５５】
配車サーバ２１は、配車要求が通信部２１５を介して制御部２１１に入力される。制御部２１１は、配車業務管理テーブル２１３ａを参照して、遊技場１０に配車するタクシー３０を決定し、その車載装置３１に配車指示を通知する（手順Ｓ６）。この通知には、行先、迎車時刻、台間機番号、及び遊戯者情報が含まれている。
【００５６】
配車サーバ２１は、車載装置３１に対する配車指示の後、直ちに管理サーバ１１に対して、迎車時刻、待ち時間、台間機番号、及び遊技者情報を含む配車応答を通知する（手順Ｓ７）。管理サーバ１１は、通知された配車応答に含まれている台間機番号に基づいて、当該配車応答に係る台間機１３を特定し、待ち時間を通知する（手順Ｓ８）。台間機１３は、通知された待ち時間を待ち時間表示手段１３４ａに表示する（手順Ｓ９）。遊技者は待ち時間表示手段１３４ａに表示された待ち時間を確認することができる。
【００５７】
その後、タクシー３０が遊技場１０に到着すると、タクシー３０の運転手或いは遊技場１０の店員は到着処理装置１４の入力部１４２から所定の到着情報（台間機番号又は遊技者情報の少なくとも１つ）を入力する（手順Ｓ１０）。到着処理装置１４は、入力された到着情報を管理サーバ１１に通知する（手順Ｓ１１）。管理サーバ１１は、通知された到着情報に基づいて、台間機１３を特定し、到着を通知する（手順Ｓ１２）。到着を通知された台間機１３は到着表示手段１３４ｂに到着を表示する（手順Ｓ１３）。
【００５８】
〈大当たり中の対応について〉
手順Ｓ１３で到着の表示を行っている時点で、遊技機１２から大当たりが通知され、大当たり表示手段１３４ｃに表示されている場合は、到着したタクシーを待たせておくか、配車要求をキャンセルするかを遊技者に選択させるための入力画面を表示部１３４に表示する。そして、タクシーを待たせることが選択された場合は、台間機１３から管理サーバ１１を介して到着処理装置１４に通知することで、タクシー３０の運転手に知らせる。また、キャンセルすることが選択された場合は、台間機１３から管理サーバ１１を介してタクシー会社２０の配車サーバ２１に通知するか、又は、キャンセルの選択が入力された台間機１３以外の全台間機１３に対して、キャンセルが１台出たので、直ぐに乗車できる旨の表示を行う。
【００５９】
以上詳細に説明したように、本発明の実施形態に係るタクシー配車要求システムによれば、遊技場１０で遊技機１２を利用中の遊技者は、遊技機１２に併設された台間機１３からタクシー配車要求を入力するだけで、タクシー３０を呼び出すことができるので、タクシー会社に電話をかけて、氏名、迎車時刻などの所要事項を通知することが不要になる。また、大当たり中であることをタクシー３０の運転手に通知することができるので、配車要求を行った遊技者不在などのトラブルの発生を防止することができる。
【００６０】
〈発明の変形例〉
本発明には下記(i)乃至(x)のような変形例がある。
(i)到着通知の省略
手順Ｓ１２で台間機１３を特定した時点で、台間機１３に会員カード１５が挿入されているか否かを判定し、挿入されていない場合は、遊技者が遊技機１２の利用を終了したとの判断に基づき、到着の通知を行わない。
【００６１】
(ii)到着通知手段の変更
手順Ｓ１２の管理サーバ１１からの到着通知の通知先を店員のインカム、又は遊技者の携帯端末とする。インカムに通知した場合は、店員が口頭で遊技者に伝達する。遊技者の携帯端末への通知はメール若しくは音声通信（電話）により行う。車載装置３１から遊技者の携帯端末へ通知するように構成してもよい。
【００６２】
(iii)管理サーバから配車サーバに通知する情報及び到着情報の変更
手順Ｓ５で配車要求とともに配車サーバ２１に通知する情報として、台間機番号、カード識別情報、配車要求番号の少なくとも１つとし、これに伴い、手順Ｓ１０で入力する到着情報も台間機番号、カード識別情報、配車要求番号の少なくとも１つとする。
【００６３】
(iv)一般カードの利用
手順Ｓ３で遊技者の遊技カードとして一般カードを挿入する。この場合、遊技者の特定を可能にするため、手順Ｓ２において、氏名及び電話番号の入力を指示する。ニックネームの使用も可能にする。
【００６４】
(v)自宅連絡
手順Ｓ３で、会員カードの利用者は自宅の入力を可能とする。これにより、タクシー３０の運転手は、客の乗車時に行先を尋ねる必要が無くなる。
【００６５】
(vi)優先順位の変更
複数の台間機１３から配車要求が入力された場合、通常は先の配車要求を優先する。ただし、大当たり中などの状況がある場合は、店員の確認等により、配車要求の内容を切り替える。例えば店員が管理サーバ１１を操作して、配車要求管理テーブル１１３ｂ上の迎車時刻の繰り下げや、上述した配車要求番号の入れ替えなどを行い、その結果を配車サーバ２１に通知する。
【００６６】
(vii)アラーム機能
到着見込み時刻、即ち手順Ｓ８で通知された待ち時間に対応する時刻の数分前になった時点で表示部１３４に表示する。
【００６７】
(viii)迎車時間の変更
遊技が早く終了した場合や定量制により打ち止めとなった場合のために、入力部１３２から迎車時刻の繰り上げの入力を可能とする。
【００６８】
(ix)到着表示手段での表示内容の変更
手順Ｓ１３の表示内容として、到着したことに加えて、到着情報に含まれる各種情報（遊技者情報、迎車時刻等）を表示する。
【００６９】
(x)到着処理装置の省略
到着したタクシー３０の運転手と遊技場１０の店員とが口頭で会話を行うことで、到着処理装置１４の無いシステム構成とする。この場合、タクシー３０の運転手は、所定の到着場所に客がいれば、氏名などの確認後、送り届ける。また、客がいなかった場合は、店員に台間機１３の番号を通知し、インカムなどによる呼び出しを依頼する。
【符号の説明】
【００７０】
１１…管理サーバ、１２…遊技機、１３…台間機、１３２…入力部、１３２ａ…配車要求入力手段、１３２ｂ…迎車時刻入力手段、１３４…表示部、１３４ｂ…到着表示手段、１３４ｃ…大当たり表示手段。
【図１】
2019017744.tif 000003
【図２】
2019017744.tif 000004
【図３】
2019017744.tif 000005
【図４】
2019017744.tif 000006
【図５】
2019017744.tif 000007
【図６】
2019017744.tif 000008
【図７】
2019017744.tif 000009